(57)【要約】【課題】捕虫シートを交換する際の作業負担の軽減を図る。【解決手段】本体部２は、複数の捕虫シート８を重ね合わせて収容する。シート保持部３は、本体部２内に収容された複数の捕虫シート８を係脱自在に保持する。カバー部材４は、開閉式であって、本体部２内に収容された複数の捕虫シート８の露出面と対向して設けられている。カバー部材４は、捕虫シート８の露出面のより大きな開口形状を有する開口部を覆うように、開閉自在に取り付けらている。光学ユニット５は、カバー部材４に取り付けられ、虫を誘引する光を発する。【選択図】図１
2020198848.tif 000002
【特許請求の範囲】
【請求項１】
捕虫器において、
捕虫シートを収容する本体部と、
前記捕虫シートを係脱自在に保持するシート保持部と、
前記捕虫シートを交換するために、前記捕虫シートの露出面と対向して設けられた開閉式のカバー部材と
を有することを特徴とする捕虫器。
【請求項２】
前記カバー部材は、前記捕虫シートの露出面のより大きな開口形状を有する開口部を覆うように、開閉自在に取り付けられていることを特徴とする請求項１に記載された捕虫器。
【請求項３】
前記シート保持部は、前記本体部内に表裏を重ね合わせて収容された複数の捕虫シートを係脱自在に保持することを特徴とする請求項１または２に記載された捕虫器。
【請求項４】
前記シート保持部は、前記カバー部材に向かって突出し、前記捕虫シートが備える係合穴に挿通可能なフックであることを特徴とする請求項３に記載された捕虫器。
【請求項５】
前記シート保持部は、前記複数の捕虫シートを保持する開閉式のバインダーであることを特徴とする請求項３に記載された捕虫器。
【請求項６】
前記シート保持部は、自己の弾性力に抗して前記複数の捕虫シートを差し込むことによって、前記複数の捕虫シートを保持する差込金具であることを特徴とする請求項３に記載された捕虫器。
【請求項７】
前記カバー部材に取り付けられた光学ユニットをさらに有することを特徴とする請求項１または２に記載された捕虫器。
【請求項８】
前記カバー部材の開閉を検知するセンサをさらに有することを特徴とする請求項７に記載された捕虫器。
【発明の詳細な説明】
【技術分野】
【０００１】
本発明は、捕虫シートで虫を捕らえる捕虫器に関する。
【背景技術】
【０００２】
従来、交換式の捕虫シートを備えた捕虫器が知られている。例えば、特許文献１には、発光によって誘引された虫を捕虫シートで捕らえる虫誘引装置が開示されている。図６に示すように、この虫誘引装置２０は、発光ユニット２１と、リアパネル２２と、フロントパネル２３とを主体に構成されている。発光ユニット２１は、周囲に向かって虫を誘引する光を発する。リアパネル２２は、壁部などの設置面に設置され、発光ユニット２１の一端と対向している。フロントパネル２３は、リアパネル２２と間隔を空けて取り付けられ、発光ユニット２１の他端と対向している。また、リアパネル２２の表面には、矩形状の捕虫シート２４が取り付けられており、この捕虫シート２４は、爪状に形成された複数のシート保持部２２ａによって交換可能に保持されている。捕虫シート２４を交換する場合、ユーザは、虫が付着している使用済の捕虫シート２４を虫誘引装置２０の側方に位置するスリット状の狭い隙間より抜き取った上で、未使用の捕虫シート２４をこの隙間より差し込む。
【０００３】
また、特許文献２には、特許文献１のような交換式ではなく、ロール状に巻回された捕虫シートを備えた捕虫器が開示されている。この捕虫器は、虫を誘引する誘引手段と、誘引手段の近傍に繰り出される捕虫シートと、この捕虫シートを繰り出し可能に保持する保持手段とを主体に構成されている。捕虫シートは、ロール状に巻回された状態から下方に向かって繰り出され、誘引手段の前方を通過する。保持手段は、繰出手段の作動によって、捕虫シートから剥離手段を介して剥離シートを順次剥離して回収すると同時に、捕虫シートの未使用の接着剤層を表出させる。捕虫シートをロール式にすることで、捕虫シートの取り扱いに要する労力を軽減することができる。
【先行技術文献】
【特許文献】
【０００４】
【特許文献１】特許第６３７２９０７号公報
【特許文献２】特開２００８−９２８０３号公報
【発明の概要】
【発明が解決しようとする課題】
【０００５】
しかしながら、上述した特許文献１の捕虫器では、捕虫シートの抜き差しを装置側方の狭い隙間を介して行う必要があり、捕虫シートの交換に際して、捕虫シートに付着した虫が手や発光ユニットなどに触れないように注意する必要もあるため、作業負担が大きいといった課題がある。
【０００６】
本発明は、かかる事情に鑑みてなされたものであり、その目的は、捕虫シートを交換する際の作業負担の軽減を図ることである。
【課題を解決するための手段】
【０００７】
かかる課題を解決すべく、本発明は、本体部と、シート保持部と、開閉式のカバー部材とを有する捕虫器を提供する。本体部は、捕虫シートを収容する。シート保持部は、捕虫シートを係脱自在に保持する。カバー部材は、捕虫シートを交換するために、捕虫シートの露出面と対向して設けられている。
【０００８】
ここで、本発明において、上記カバー部材は、捕虫シートの露出面のより大きな開口形状を有する開口部を覆うように、開閉自在に取り付けられていることが好ましい。また、上記シート保持部は、本体部内に表裏を重ね合わせて収容された複数の捕虫シートを係脱自在に保持することが好ましい。例えば、上記シート保持部は、カバー部材に向かって突出し、捕虫シートが備える係合穴に挿通可能なフックであってもよい。また、上記シート保持部は、複数の捕虫シートを一体で保持する開閉式のバインダーであってもよい。さらに、上記シート保持部は、自己の弾性力に抗して複数の捕虫シートを差し込むことによって、複数の捕虫シートを一体で保持する差込金具であってもよい。
【０００９】
本発明において、上記カバー部材に取り付けられた光学ユニットを設けてもよい。また、上記カバー部材の開閉を検知するセンサをさらに設けてもよい。
【発明の効果】
【００１０】
本発明によれば、捕虫シートの露出面と対向して設けられた開閉式のカバー部材を開くことで、シート保持部によって保持された捕虫シートを係脱できるため、捕虫シートを交換する際の作業負担の軽減を図ることができる。
【図面の簡単な説明】
【００１１】
【図１】捕虫器の外観斜視図
【図２】捕虫器の展開斜視図
【図３】フックの拡大図
【図４】バインダーの拡大図
【図５】差込金具の拡大図
【図６】従来技術の説明図
【発明を実施するための形態】
【００１２】
図１は、本実施形態に係る捕虫器の外観斜視図である。この捕虫器１は、工場、飲食店、家庭といった現場の壁面などに設置され、捕虫器２の内部に侵入した虫を捕らえる。捕虫器１は、奥行方向が短い薄箱形状を有しており、本体部２と、シート保持部３と、開閉式のカバー部材４と、光学ユニット５と、回路ユニット６と、トレー７とを主体に構成されている。
【００１３】
本体部２は、アルミニウムなどの高剛性かつ軽量な金属によって形成されており、捕虫シート８を収容可能な収容スペースを有している。本実施形態において、本体部２は、複数の捕虫シート８を収容可能であり、捕虫シート８の表裏が重なり合うように、捕虫器１の前後方向に並んで収容されている。それぞれの捕虫シート８の一方の表面には、虫を付着して捕らえるための粘着面と、その周囲に設けられた余白（非粘着面）とが設けられている。複数の捕虫シート８が重なり合った状態では、例えば、隣り合った捕虫シート８の間に剥離シートが介在する形態、あるいは、隣り合った捕虫シート８の表裏が剥離可能に接合された形態の如く、これらは互いに分離可能になっている。また、複数の捕虫シート８のうち、最も手前に位置する露出した捕虫シート８の表面（露出面）のみが捕虫機能を担っており、これよりも後ろに位置する捕虫シート８は予備品として未使用状態のままストックされる。
【００１４】
また、本体部２の前面、すなわち、捕虫シート８の露出面と対向する面は開口しており、この開口部は、捕虫シート８を交換する際に捕虫シート８の取り出しに支障がないように、捕虫シート８の露出面のより大きな開口形状を有する。本実施形態では、捕虫器１の捕虫性能を高めるべく、本体部２の前面の他に左右の側面も開口しており、これらは連続した開口部を構成している。
【００１５】
シート保持部３は、本体部２内に収容された複数の捕虫シート８を係脱自在にまとめて保持する。捕虫シート８を係脱自在に保持することで、最も手前に位置する捕虫シート８（使用済品）から次段の捕虫シート８（ストック状態の未使用品）への交換を、ユーザが手作業で行うことができる。なお、本体部２内に収容・保持される捕虫シート８は、複数枚ではなく１枚であってもよい。
【００１６】
開閉式のカバー部材４は、プレート形状を有し、本体部と同様、アルミニウムなどの高剛性かつ軽量な金属によって形成されている。このカバー部材４は、捕虫シート８の交換を手作業で行えるようにするために、本体部２の前面、すなわち、捕虫シート８の露出面と対向する面に設けられている。また、カバー部材４は、捕虫シート８の露出面のより大きな開口形状を有する開口部を覆うように、開閉自在に取り付けられている。通常の使用時には、カバー部材４は閉じており、捕虫シート８の露出面に対するユーザの不用意な接触を防止する。一方、捕虫シート８の交換時には、カバー部材４が開かれる。これにより、交換作業を行うのに十分な空間を確保が確保され、他の部材と干渉することなく、あるいは、捕虫シート８上の虫に触れることなく、交換作業を容易に行うことができる。また、カバー部材４の適宜の箇所には、外部から内部への虫の侵入を許容する開口部が設けられている。
【００１７】
光学ユニット５は、略円筒形状を有しており、カバー部材４の略中央に取り付けられている。また、光学ユニット５は、カバー部材４が閉じた状態において、捕虫シート８の露出面と対向している。カバー部材４に光学ユニット５を一体的に取り付けることで、カバー部材４の開閉と連動して光学ユニット５が変位する。これにより、捕虫シート８の交換時に、交換作業に支障がない位置に光学ユニット５を退避させることができる。また、光学ユニット５は、周囲に向かって虫を誘引する光を発する。このような光としては、例えば、ピーク波長が３６０〜３７０ｎｍ程度である紫外線を用いることができる。なお、光学ユニット５に、捕虫シート８の露出面を撮像するカメラを搭載してもよい。
【００１８】
回路ユニット６は、本体部２の上部に取り付けられている。この回路ユニット６には、電源回路、電気回路、制御回路といった捕虫器１を動作させるのに必要な各種の回路が内蔵されている。また、捕虫器１が無線ＬＡＮやインターネットなどのネットワークに対応している場合、ローカルコンピュータやサーバといった外部システムとの間でデータの送受を行うための通信回路なども回路ユニット６に内蔵されている。さらに、トレー７は、本体部２の下部に着脱自在に載置されており、捕虫シート８の露出面から脱落した虫などが収容される。
【００１９】
図２は、捕虫器１の展開斜視図である。本体部２は、プレート部２ａと、上屈曲部２ｂと、下屈曲部２ｃとを有し、これらによって形成される内部空間が捕虫シート８の収容スペースとなる。プレート部２ａの上方には、上述したシート保持部３が取り付けられている。上屈曲部２ｂは、プレート部２ａの上縁部から前方に向かって屈曲しており、その上面には、回路ユニット６がネジ止めされている。また、下屈曲部２ｃは、プレート２ａの下縁部から前方に向かって屈曲しており、その上面には、トレー７が着脱自在に載置されている。
【００２０】
上屈曲部２ｂの先端部には、複数のヒンジ９を介して、カバー部材４が開閉自在に取り付けられている。このカバー部材４の下部には、複数の脚部４ａが設けられている。これらの脚部４ａの先端は、カバー部材４を閉じた際にプレート部２ａと接触し、これによって、プレート部２ａに対して平行になるようにカバー部材４が位置決めされる。また、上述したように、光学ユニット５はカバー部材４に取り付けられているため、カバー部材４の開閉と連動して変位する。すなわち、カバー部材４が閉じた状態では、光学ユニット５は捕虫シート８の露出面と対向する位置に存在して、虫を誘引する光を効率的に出射する。また、カバー部材４が開いた状態では、光学ユニット５は捕虫シート８の交換に支障がない位置に退避する。
【００２１】
本実施形態において、捕虫器１には、カバー部材４の開閉を検知するセンサ１０が設けられている。具体的には、プレート部２ａの所定の箇所、すなわち、カバー部材４側の脚部４ａに対応する位置には接触型のセンサ１０が取り付けられている。センサ１０によって脚部４ａとの接触が検知された場合には、カバー部材４は閉じた状態であると判定され、脚部４ａとの非接触が検知された場合には、カバー部材４は開いた状態であると判定される。なお、このようなセンサ１０としては、接触型のセンサに限定されるものではなく、例えば、ヒンジ９の回転を検知するロータリーエンコーダであってもよいし、赤外線センサや磁気センサなどを用いてもよい。
【００２２】
センサ１０の検知結果は、光学ユニット５の制御を含めて、様々な用途で活用することができる。具体的には、カバー部材４が閉じた状態が検知された場合には光学ユニット５の発光を許容し、カバー部材４が開いた状態が検知された場合では光学ユニット５の発光を停止する。これにより、捕虫シート８を交換する際、閉じた状態のカバー部材４を開いたことに応じて、光学ユニット５の発光を自動的に停止させることができる。また、別の活用例として、カバー部材４が開いた状態が検知された場合、捕虫シート８の交換が発生した旨をサーバなどの外部システムに通知してもよい。この通知を受けた外部システムは、捕虫シート８の交換が生じたという事実をその日時と共に記録することで、捕虫シート８の交換時期を管理してもよい。
【００２３】
捕虫シート８を係脱自在に保持するシート保持部３の具体的な態様としては、フック、バインダー、差込金具などが挙げられる。図３は、フックの拡大図である。このフック３ａは、プレート部２ａからカバー部材４側に向かって突出しており、捕虫シート８が備える係合穴に挿通可能な径を有する。また、フック３ａの長さ（突出長）は、収容能力として許容される捕虫シート８の最大枚数分の厚みを少なくとも有していればよい。ユーザは、カバー部材４が開いた状態で、フック３ａの先端を介して最も手前の捕虫シート８を取り外すことで、捕虫シート８の交換を容易に行うことができる。
【００２４】
図４は、バインダーの拡大図である。このバインダー３ｂは開閉式であって、複数の捕虫シート８を一体で保持する。バインダー３ｂを開いた際の開口幅は、収容能力として許容される捕虫シート８の最大枚数分の厚みを少なくとも有していればよい。ユーザは、カバー部材４が開いた状態で、バインダー３ｂを開いて最も手前の捕虫シート８を取り外すことで、捕虫シート８の交換を容易に行うことができる。
【００２５】
図５は、差込金具の拡大図である。この差込金具３ｃは、自己の弾性力に抗して複数の捕虫シート８を差し込むことによって、複数の捕虫シート８を一体で保持する。差込金具３ｃを開いた際の開口幅は、収容能力として許容される捕虫シート８の最大枚数分の厚みを少なくとも有していればよい。ユーザは、カバー部材４が開いた状態で、差込金具３ｃを開いて最も手前の捕虫シート８を取り外すことで、捕虫シート８の交換を容易に行うことができる。
【００２６】
このように、本実施形態によれば、捕虫シート８の露出面と対向して設けられた開閉式のカバー部材４を開くことで、捕虫シート８を係脱できるため、捕虫シート８を交換する際の作業負担の軽減を図ることができる。特に、カバー部材４を開くことによって出現する開口部を、捕虫シート８の露出面のより大きな開口形状とすることで、捕虫シート８の交換を支障なく行うことができる。なお、かかる作用効果の観点でいえば、シート保持部３によって保持される捕虫シート８は必ずしも複数枚である必要はなく、１枚であってもよい。
【００２７】
また、本実施形態によれば、シート保持部３によって複数の捕虫シート８をまとめて保持することで、捕虫器１内に未使用状態の捕虫シート８を予備品としてストックしておくことができる。捕虫シート８の交換時には、捕虫器１内に露出した使用済の捕虫シート８を取り外すだけで、新たに露出した未使用状態の捕虫シート８に代えることができる。これにより、捕虫シート８の交換毎に、新たな捕虫シート８を別途用意する必要がなくなるので、ユーザにとっての利便性の向上に寄与する。
【００２８】
さらに、本実施形態によれば、光学ユニット５をカバー部材４に取り付けることで、カバー部材４の開閉と連動して光学ユニット５を変位させることができる。これにより、捕虫シート８の交換時において、捕虫シート８の交換に支障がない位置に光学ユニット５を退避させることができるので、交換作業性の向上を図ることができる。
【００２９】
なお、上述した実施形態では、光学ユニット５が発する光によって、虫を能動的に誘引する捕虫器１について説明したが、本発明はこれに限定されるものではなく、虫を誘引する機能を備えずに、飛来した虫を捕虫シート８で受動的に捕らえるものであってもよい。
【符号の説明】
【００３０】
１  捕虫器
２  本体部
２ａ  プレート部
２ｂ  上屈曲部
２ｃ  下屈曲部
３  シート保持部
３ａ  フック
３ｂ  バインダー
３ｃ  差込金具
４  カバー部材
４ａ  脚部
５  光学ユニット
６  回路ユニット
７  トレー
８  捕虫シート
９  ヒンジ
１０  センサ
【図１】
2020198848.tif 000003
【図２】
2020198848.tif 000004
【図３】
2020198848.tif 000005
【図４】
2020198848.tif 000006
【図５】
2020198848.tif 000007
【図６】
2020198848.tif 000008